(57)【要約】【課題】金属コイルばねなどの小さな部品を削減することにより、コストダウンと生産性の向上を図ることができる光ディスク駆動装置を提供する。【解決手段】軸当接部７ｅを懸架する懸架部７ｈ、軸当接部７ｅを付勢する樹脂ばね７ｄが駆動力伝達部材７の本体部７ｚに一体的に形成されているので、簡素な構成でありながら、歯形状部７ｇを常時斜溝３ａに隙間なく噛み合わせることができ、光ピックアップ６の移動精度を確保しつつ、コストダウンが可能となる。【選択図】図３
2011113609.tif 000002
【特許請求の範囲】
【請求項１】
回転駆動される光ディスクに光を照射し、その反射光を電気信号に変換することにより光ディスクに記録されている情報を読み取る光ピックアップと、前記光ピックアップを光ディスクの径方向に駆動するための光ピックアップ駆動モータと、前記光ピックアップ駆動モータが発生する駆動力を光ピックアップに伝達する駆動力伝達部材と、光ピックアップを光ディスクの径方向にガイドするガイド軸を備えた光ディスク駆動装置において、
前記光ピックアップ駆動モータの出力軸は、螺旋状の斜溝を有し、
前記駆動力伝達部材は、樹脂材料にて成型され、前記光ピックアップ駆動モータの出力軸に当接される軸当接部と、前記軸当接部を前記光ピックアップ駆動モータの出力軸に押圧する樹脂ばねと、前記軸当接部に形成され、前記光ピックアップ駆動モータの出力軸の斜溝に噛み合わされる歯形状部を、一体的に有していることを特徴とする光ピックアップ駆動構造。
【請求項２】
前記駆動力伝達部材は、前記光ピックアップに結合される本体部と、前記本体部から前記軸当接部を懸架する懸架部をさらに備え、
前記樹脂ばねは前記本体部から突出され、その先端部が前記軸当接部と当接し該軸当接部を前記光ピックアップ駆動モータの出力軸に押圧することを特徴とする請求項１に記載の光ピックアップ駆動構造。
【請求項３】
前記樹脂ばねを挟んで一対の前記懸架部が形成されていることを特徴とする請求項１又は請求項２に記載の光ピックアップ駆動構造。
【請求項４】
請求項１乃至請求項３に記載の光ピックアップ駆動構造を備えたことを特徴とする光ピックアップ駆動装置。
【発明の詳細な説明】
【技術分野】
【０００１】
本発明は、光ピックアップ駆動構造及びそれを備えた光ディスク駆動装置に関するものである。
【背景技術】
【０００２】
図８は、光ディスク駆動装置の主要部として、特に光ピックアップ駆動構造の構成を示している。光ディスク駆動装置は、主要部品として、ディスクモータ２、スレッドモータ３、主ガイド軸４、副ガイド軸５、光ピックアップ６、駆動力伝達部材１０７、金属コイルばね８、シャーシ１０などで構成されている。光ピックアップ６は、主ガイド軸４、副ガイド軸５に挿入されて、光ディスクの径方向に移動自在に支持される。
【０００３】
図９、図１０は、駆動力伝達部材１０７の周辺の構成を示している。駆動力伝達部材１０７には、懸架部１０７ｈが一体で設けられており、懸架部１０７ｈの先端部には軸当接部１０７ｅが設けられている。さらに軸当接部１０７ｅの表面（スレッドモータ３の出力軸に対向する面）側には歯形状部１０７ｇが、裏面（光ピックアップ６に対向する面）側にはリブ１０７ｆが一体的に設けられている。金属コイルばね８は、一端側が駆動力伝達部材１０７の軸当接部１０７ｅに設けられたリブ１０７ｆに挿入され、他端側が駆動力伝達部材１０７に設けられている側壁１０７ｄに当接されて取り付けられている。このとき金属コイルばね８は、駆動力伝達部材１０７の側壁１０７ｄと軸当接部１０７ｅの間に任意の荷重設定になるように圧縮された状態で取り付けられている。圧縮された金属コイルばね８の付勢力により、軸当接部１０７ｅ面がスレッドモータ３の出力軸の方向に押され、駆動力伝達部材１０７に設けられている懸架部１０７ｈ部が変形し、懸架部１０７ｈの先端部に設けられている軸当接部１０７ｅは、適度な範囲で押し広げられる。
【０００４】
スレッドモータ３の出力軸には斜溝３ａが形成され、金属コイルばね８の付勢力によって歯形状部１０７ｇが斜溝３ａに隙間なく噛み合わされる。これにより、スレッドモータ３の駆動力が伝達されて、光ピックアップ６が内外周に移動されたとき、移動距離に誤差が無く、移動させたい位置まで正確に移動させることができる構造となっている。
【０００５】
しかしながら、スレッドモータ３の斜溝３ａと駆動力伝達部材１０７に設けられている歯形状部１０７ｇを常時隙間なく噛み合わせるには、駆動力伝達部材１０７の軸当接部１０７ｅ面を常時斜溝３ａの方向に常時押圧するためのコイルばね８が別部品として必要となり、光ディスク駆動装置のコストダウンを阻む一因となっていた。また光ディスク駆動装置の小型化、薄型化に伴い駆動力伝達部材１０７及び金属コイルばね８も小さな部品となり、駆動力伝達部材１０７に金属コイルばね８を取り付ける作業に治具などが必要となり、熟練を要していた。
【０００６】
上記課題を解決するために、特許文献１には、弾性片を有するラック保持部材に関する技術が示されている。しかしながら、この技術においてもラック保持部材が別途必要となるため、部品点数が増加し、コストダウンなどを図ることが困難となる。また、特許文献２には、マグネットの磁気吸引力を利用する技術が示されている。しかしながら、この技術においてもマグネットが別途必要となるため、部品点数が増加し、コストダウンなどを図ることが困難となる。なお、特許文献３には、送り方向と戻り方向のモータ駆動電圧の変化を緩和して光ピックアップの移送精度を向上させる技術が示されている。また、特許文献４には、歯部に当接部を設けることにより、係合の外れと、ヒンジ折れを防止する技術が示されている。また、特許文献５には、リードスクリューに係合するラック部材のクリープ変形を防止する技術が示されている。
【先行技術文献】
【特許文献】
【０００７】
【特許文献１】特開２００１−１６０２７２号公報
【特許文献２】実登３０４８５４５号公報
【特許文献３】特開２００８−２１０４４０号公報
【特許文献４】特開平１１−２２４４６９号公報
【特許文献５】特開２００７−２５７７７０号公報
【発明の概要】
【発明が解決しようとする課題】
【０００８】
本発明は、上記課題を解決するためになされたものであり、金属コイルばねなどの小さな部品を削減することにより、コストダウンと生産性の向上を図ることができる光ディスク駆動装置を提供することを目的とする。
【課題を解決するための手段】
【０００９】
上記目的を達成するために請求項１の発明は、回転駆動される光ディスクに光を照射し、その反射光を電気信号に変換することにより光ディスクに記録されている情報を読み取る光ピックアップと、前記光ピックアップを光ディスクの径方向に駆動するための光ピックアップ駆動モータと、前記光ピックアップ駆動モータが発生する駆動力を光ピックアップに伝達する駆動力伝達部材と、光ピックアップを光ディスクの径方向にガイドするガイド軸を備えた光ピックアップ駆動構造において、前記光ピックアップ駆動モータの出力軸は、螺旋状の斜溝を有し、前記駆動力伝達部材は、樹脂材料にて成型され、前記光ピックアップ駆動モータの出力軸に当接される軸当接部と、前記軸当接部を前記光ピックアップ駆動モータの出力軸に押圧する樹脂ばねと、前記軸当接部に形成され、前記光ピックアップ駆動モータの出力軸の斜溝に噛み合わされる歯形状部を、一体的に有していることを特徴とする。
【００１０】
請求項２の発明は、請求項１に記載の光ピックアップ駆動構造において、前記駆動力伝達部材は、前記光ピックアップに結合される本体部と、前記本体部から前記軸当接部を懸架する懸架部をさらに備え、前記樹脂ばねは、前記本体部から突出され、その先端部が前記軸当接部と当接し該軸当接部を前記光ピックアップ駆動モータの出力軸に押圧することを特徴とする。
【００１１】
請求項３の発明は、請求項１又は請求項２に記載の光ピックアップ駆動構造において、前記樹脂ばねを挟んで一対の前記懸架部が形成されていることを特徴とする。
【００１２】
請求項４の発明は、請求項１乃至請求項３に記載の光ピックアップ駆動構造を備えたことを特徴とする光ディスク駆動装置。
【発明の効果】
【００１３】
請求項１の発明によれば、樹脂ばねによって光ピックアップ駆動モータの出力軸に押圧された軸当接部の歯形状部が隙間なく斜溝と噛み合うので光ピックアップを光ディスクの径方向に正確に駆動することができる。また、軸当接部を付勢する樹脂ばねが駆動力伝達部材に一体的に形成されているので、従来は別部品として必要としていた金属コイルばねが不要となり、光ピックアップ駆動構造のコストダウンを図りつつ、その製造工程を簡素なものにすることができる。
【００１４】
請求項２の発明によれば、樹脂ばねが本体部から突出され、その先端部が軸当接部と当接する構成を有しているので、樹脂ばねと軸当接部の当接部、歯形状部及び斜溝を一直線上に容易に配置できる。これにより、樹脂ばねの付勢力によって歯形状部を斜溝に効率よく押圧でき、光ピックアップを光ディスクの径方向により一層正確に駆動することができるようになる。
【００１５】
請求項３の発明によれば、一対の懸架部が樹脂ばねを挟んで形成されているので、当接部の姿勢、すなわち歯形状部と斜溝との噛み合い状態を安定させることができる。
【００１６】
請求項４の発明によれば、安価かつ簡素な構成の光ディスク駆動装置を得ることができる。
【図面の簡単な説明】
【００１７】
【図１】本発明の一実施形態による光ディスク駆動装置の主要部の構成を示す斜視図。
【図２】同装置の駆動力伝達部材の周辺構成を示す平面図。
【図３】図２におけるＡ−Ａ線断面図。
【図４】駆動力伝達部材の周辺の構成を表面側から示す斜視図。
【図５】駆動力伝達部材の周辺の構成を裏面側から示す斜視図。
【図６】駆動力伝達部材の周辺の構成を示す平面図。
【図７】図６におけるＢ−Ｂ線断面図。
【図８】従来の光ディスク駆動装置の主要部の構成を示す斜視図。
【図９】同装置の駆動力伝達部材の周辺構成を示す平面図。
【図１０】図９におけるＡ−Ａ線断面図。
【発明を実施するための形態】
【００１８】
本発明の一実施形態による光ディスク駆動装置について図面を参照して説明する。図１は、光ディスク駆動装置の主要部として、特に光ピックアップ駆動構造を示している。光ディスク駆動装置は、ディスクモータ２、スレッドモータ（光ピックアップ駆動手段）３、主ガイド軸４、副ガイド軸５、光ピックアップ６、駆動力伝達部材７、シャーシ１０などによって構成されている。ディスクモータ２は、装填された光ディスクを回転駆動する。スレッドモータ３は、光ピックアップ６を光ディスクの径方向に駆動する。スレッドモータ３の出力軸には、光ピックアップ６を駆動するための斜溝３ａが螺旋状に形成されている。主ガイド軸４及び副ガイド軸５は、光ディスクの径方向に互いに平行に配置され、光ピックアップ６をガイドする。光ピックアップ６は、光を光ディスクの記録面に照射し、その反射光を電気信号に変換することにより、光ディスクに記録されている情報を読み取る。駆動力伝達部材７は、光ピックアップ６に装着され、スレッドモータ３が発生する駆動力を光ピックアップ６に伝達する。
【００１９】
図２及び図３は、駆動力伝達部材７の近傍の構成を示している。また、図４乃至図７は、駆動力伝達部材７の構成を示している。駆動力伝達部材７の本体部７ｚには、駆動力伝達部材７を光ピックアップ６に装着するためのボス７ａ、ボス７ｂ、孔７ｃが一体的に設けられている。光ピックアップ６の凹孔に駆動力伝達部材７のボス７ａ、ボス７ｂが各々挿入されて位置決めされて、駆動力伝達部材７の孔７ｃから光ピックアップ６の孔にねじが螺入されることにより駆動力伝達部材７は、光ピックアップ６に結合される。
【００２０】
駆動力伝達部材７には、板ばね状の樹脂ばね７ｄ及び懸架部７ｈ部が本体部７ｚから突出されて一体的に設けられている。懸架部７ｈの先端部には軸当接部７ｅが一体的に形成され、そのスレッドモータ３の出力軸と対向する表面には、斜溝３ａと噛み合わされる歯形状部７ｇが一体的に形成されている。懸架部７ｈは、スレッドモータ３の出力軸に平行な方向において、樹脂ばね７ｄを挟んで一対に形成され、変形しながら軸当接部７ｅを懸架することにより、軸当接部７ｅをスレッドモータ３の出力軸に追従させながら支持する。樹脂ばね７ｄは、軸当接部７ｅの裏面（歯形状部７ｇが形成されていない面）をスレッドモータ３の出力軸に付勢する（図３中Ｙ方向）。図２及び図３に示したように、光ピックアップ６の組み込み状態にあって樹脂ばね７ｄは、軸当接部７ｅの裏面と当接して光ピックアップ６の方向に撓み、軸当接部７ｅをスレッドモータ３の出力軸に押し付ける。これにより、歯形状部７ｇが斜溝３ａに隙間なく噛み合わされ、光ピックアップ６を正確に移動させることができる。なお、スレッドモータ３の出力軸及び光ピックアップ６をガイドする主ガイド軸４の配置、並びに樹脂ばね７ｄ及び懸架部７ｈのばね定数は、シャーシ１０にスレッドモータ３、光ピックアップ６が組み込まれた際に、歯形状部７ｇが斜溝３ａに隙間なく噛み合わされるのに必要充分な力で押圧されるように設定されている。
【００２１】
以上のように、本実施形態の光ディスク駆動装置によれば、樹脂ばね７ｄによってスレッドモータ３の出力軸に押圧された軸当接部７ｅの歯形状部７ｇが隙間なく斜溝３ａと噛み合うので光ピックアップ６を光ディスクの径方向に正確に駆動することができる。また、軸当接部７ｅを付勢する樹脂ばね７ｄが駆動力伝達部材７に一体的に形成されているので、従来は別部品として必要としていた金属コイルばね８（図８乃至図１０参照）が不要となり、光ピックアップ駆動装置のコストダウンを図りつつ、その製造工程を簡素なものにすることができる。
【００２２】
また、樹脂ばね７ｄが、駆動力伝達部材７の本体部７ｚから突出され、その先端部が軸当接部７ｅと当接する構成を有しているので、樹脂ばね７ｄと軸当接部７ｅの当接部、歯形状部７ｇ及び斜溝３ａを一直線上に容易に配置できる。これにより、樹脂ばねの付勢力によって歯形状部７ｇを斜溝３ａに効率よく押圧でき、光ピックアップ６を光ディスクの径方向により一層正確に駆動することができるようになる。また、一対の懸架部７ｈが樹脂ばね７ｄを挟んで形成されているので、懸架部７ｈによって樹脂ばね７ｄの両側から軸当接部７ｅを懸架することにより、軸当接部７ｅの姿勢、すなわち歯形状部７ｇと斜溝３ａとの噛み合い状態を安定させることができる。
【００２３】
なお、本発明は上記実施形態の構成に限られることなく、少なくとも軸当接部７ｅ、樹脂ばね７ｄ及び歯形状部７ｇを有する駆動力伝達部材７が、樹脂材料にて一体的に成型されていればよい。また、本発明は種々の変形が可能であり、例えば、駆動力伝達部材７のうち、特に樹脂ばね７ｄ、軸当接部７ｅ、歯形状部７ｇ及び懸架部７ｈなどの形状、配置は図４などに示したものに限られることなく、適宜設定することができる。
【符号の説明】
【００２４】
３    スレッドモータ（光ピックアップ駆動手段）
３ａ    斜溝
４    主ガイド軸
５    副ガイド軸
６    光ピックアップ
７    駆動力伝達部材
７ｄ    樹脂ばね
７ｅ    軸当接部
７ｇ    歯形状部
７ｈ    懸架部
７ｚ    本体部
１０    シャーシ
【図１】
2011113609.tif 000003
【図２】
2011113609.tif 000004
【図３】
2011113609.tif 000005
【図４】
2011113609.tif 000006
【図５】
2011113609.tif 000007
【図６】
2011113609.tif 000008
【図７】
2011113609.tif 000009
【図８】
2011113609.tif 000010
【図９】
2011113609.tif 000011
【図１０】
2011113609.tif 000012